(57)【要約】【課題】  容易に緩衝用パットの汚れを除去することができる補聴器用携帯ケースを提供する。【解決手段】  容器部１と蓋部２からケース体５を形成し、このケース体５内に補聴器の形状に合わせて形成した容器部１の緩衝用パット３と蓋部２の緩衝用パット４を配設し、これらの緩衝用パット３，４に補聴器を収納する補聴器用携帯ケースにおいて、緩衝用パット３を容器部１に着脱自在に装着し、緩衝用パット４を蓋部２に着脱自在に装着した。【選択図】        図３
2007306345.tif 000002
【特許請求の範囲】
【請求項１】
容器部と蓋部からケース体を形成し、このケース体内に補聴器の形状に合わせて形成した緩衝用パットを配設し、この緩衝用パットに補聴器を収納する補聴器用携帯ケースにおいて、前記緩衝用パットを前記ケース体に着脱自在に装着したことを特徴とする補聴器用携帯ケース。
【請求項２】
前記緩衝用パットが、容器部の緩衝用パットと蓋部の緩衝用パットに分割される請求項１記載の補聴器用携帯ケース。
【発明の詳細な説明】
【技術分野】
【０００１】
本発明は、不使用時の補聴器を、外部からの衝撃を防いで収納する補聴器用携帯ケースに関する。
【背景技術】
【０００２】
従来の補聴器用携帯ケースとしては、容器部と蓋部からケース体を形成し、これら容器部と蓋部の内側に夫々補聴器の形状に合わせて形成した緩衝用パットを接着し、これらの緩衝用パットで補聴器を包んで収納するものが知られている。
【発明の開示】
【発明が解決しようとする課題】
【０００３】
しかし、補聴器には使用することによって、耳垢、手垢や汗などの汚れが付着し、汚れたままで補聴器を携帯ケースに収納すると、その汚れが緩衝用パットに移ってしまう。緩衝用パットは、容器部と蓋部の内側に接着されており、取り外しができないので、緩衝用パットに付着した汚れはアルコール綿などの清掃用具を用いて取り除くしかない。
このような清掃方法では、緩衝用パットの隅に付着した汚れや表地に入り込んだ細かな汚れを除去するのは困難である。また、アルコール綿などの清掃用具を用意しておかなければならない。
【０００４】
本発明は、従来の技術が有するこのような問題点に鑑みてなされたものであり、その目的とするところは、容易に緩衝用パットの汚れを除去することができる補聴器用携帯ケースを提供しようとするものである。
【課題を解決するための手段】
【０００５】
上記課題を解決すべく請求項１に係る発明は、容器部と蓋部からケース体を形成し、このケース体内に補聴器の形状に合わせて形成した緩衝用パットを配設し、この緩衝用パットに補聴器を収納する補聴器用携帯ケースにおいて、前記緩衝用パットを前記ケース体に着脱自在に装着したものである。
【０００６】
請求項２に係る発明は、請求項１記載の補聴器用携帯ケースにおいて、前記緩衝用パットを、容器部の緩衝用パットと蓋部の緩衝用パットに分割するようにした。
【発明の効果】
【０００７】
請求項１に係る発明によれば、緩衝用パットをケース体から取り外すことができるので、緩衝用パットを容易に洗浄することができる。また、洗浄により緩衝用パットに付着した汚れを確実に除去することができるので、衛生的である。
【０００８】
請求項２に係る発明によれば、緩衝用パットを容器部の緩衝用パットと蓋部の緩衝用パットに分解することができるので、洗浄し易くなる。
【発明を実施するための最良の形態】
【０００９】
以下に本発明の実施の形態を添付図面に基づいて説明する。ここで、図１は本発明に係る補聴器用携帯ケースの閉状態の斜視図、図２は同じく開状態の斜視図、図３は同じく分解斜視図、図４は容器部の緩衝用パットの斜視図、図５は蓋部の緩衝用パットの斜視図である。
【００１０】
本発明に係る補聴器用携帯ケースは、図１及び図２に示すように、容器部１と、容器部１に回動式に支持されて開閉する蓋部２と、容器部１の内側に着脱自在に装着された緩衝用パット３と、蓋部２の内側に着脱自在に装着された緩衝用パット４からなる。容器部１と蓋部２でケース体５を構成している。６は蓋部２を閉状態に保持したり、開状態にしたりするための開閉ボタン、７は蓋部２を容器部１に対して開閉させるヒンジである。
【００１１】
容器部１は、図３に示すように、上部に開口を形成し、この開口は蓋部２を閉状態にすることにより塞がれる。また、容器部１の底面には、緩衝用パット３を装着するためのボス８が複数設けられている。蓋部２は、平板形状に形成され、内面には緩衝用パット４を装着するためのボス９が複数設けられている。ケース体５を構成する容器部１と蓋部２は、ＡＢＳなどの樹脂で作製されている。
【００１２】
容器部１に装着される緩衝用パット３は、略たらい状に形成され、その縁部３ａを容器部１に当接させて収まる。そして、図４に示すように、緩衝用パット３の外面３ｂには、容器部１に設けたボス８と嵌合するリブ１０が複数設けられている。また、縁部３ａとリブ１０を設けた部位以外の緩衝用パット３の外面３ｂと容器部１との間には、所定の空間が形成される。そして、緩衝用パット３の内面３ｃには、補聴器収納部１１やボタン電池収納部１２が、夫々の形状に倣って形成されている。
【００１３】
蓋部２に装着される緩衝用パット４は、板状に形成され、緩衝用パット３に設けられた補聴器収納部１１やボタン電池収納部１２に対向する部位に緩衝部１３，１４を配設している。そして、図５に示すように、緩衝用パット４の外面４ａには、蓋部２に設けたボス９と嵌合するリブ１５が複数設けられている。緩衝用パット３，４は、ウレタン、ゴム、エラストマーやαゲルなどで作製される。
【００１４】
以上のように構成した本発明に係る補聴器用携帯ケースの作用について説明する。先ず、開閉ボタン６を押して蓋部２を、図２に示す開状態にする。次いで、緩衝用パット３に収納されている補聴器（不図示）、ボタン電池（不図示）を取り出す。更に、緩衝用パット３を引っ張って容器部１から取り外し、緩衝用パット４を引っ張って蓋部２から取り外す。
【００１５】
取り外した緩衝用パット３，４は、中性洗剤などで洗浄し、水でよくすすぎ洗いをする。そして、水分を除去し、よく乾燥させた後、再び緩衝用パット３のリブ１０と容器部１のボス８を嵌合させ、緩衝用パット４のリブ１５と蓋部２のボス９を嵌合させる。
次いで、必要ならば、補聴器（不図示）を補聴器収納部１１に、ボタン電池（不図示）をボタン電池収納部１２に収納し、蓋部２を閉状態にすれば、補聴器用携帯ケースへの収納作業は終了する。
【００１６】
なお、本発明の実施の形態では、ボス８とリブ１０、ボス９とリブ１５を夫々嵌合させて、容器部１に緩衝用パット３、蓋部２に緩衝用パット４を夫々着脱自在に装着させているが、着脱容易なマジックテープで装着することもできる。
【産業上の利用可能性】
【００１７】
本発明によれば、補聴器の汚れが付着する緩衝用パットをケース体から取り外すことができるので、緩衝用パットが洗浄し易くなり、常に清潔な補聴器用携帯ケースを提供でき、補聴器のイメージ向上及び需要拡大に寄与する。
【図面の簡単な説明】
【００１８】
【図１】本発明に係る補聴器用携帯ケースの閉状態の斜視図
【図２】本発明に係る補聴器用携帯ケースの開状態の斜視図
【図３】本発明に係る補聴器用携帯ケースの分解斜視図
【図４】容器部の緩衝用パットの斜視図
【図５】蓋部の緩衝用パットの斜視図
【符号の説明】
【００１９】
１…容器部、２…蓋部、３，４…緩衝用パット、５…ケース体、８，９…ボス、１０，１５…リブ。
【図１】
2007306345.tif 000003
【図２】
2007306345.tif 000004
【図３】
2007306345.tif 000005
【図４】
2007306345.tif 000006
【図５】
2007306345.tif 000007